(57)【要約】【課題】意匠性を向上させることができる什器及び什器システムを提供する。【解決手段】上下方向に延びる縦フレームと、縦フレームに接続され、上下方向に交差する方向に延びる横フレーム２６Ａと、横フレーム２６Ａに支持された棚板２２と、を備え、横フレーム２６Ａは、棚板２２の外側面に対して内側に位置する部分で棚板２２に上下方向で当接する当接部４０と、当接部４０に対して左右方向の外側に連なるとともに、棚板２２に対して上下方向に離間して配置され、棚板２２との間に左右方向の外側に開口する収容部Ｓを画成する離間部４１と、を備えている。【選択図】図４
2019080810.tif 000002
【特許請求の範囲】
【請求項１】
上下方向に延びる縦フレームと、
前記縦フレームに接続され、前記上下方向に交差する方向に延びる横フレームと、
前記横フレームに支持された支持板と、を備え、
前記横フレームは、
前記支持板の外側面に対して内側に位置する部分で前記支持板に前記上下方向で当接する当接部と、
前記当接部に対して前記支持板の外側面寄りに位置する部分で前記当接部に連なるとともに、前記支持板に対して前記上下方向に離間して配置され、前記支持板との間に前記支持板の外側面に対して外側に開口する開口部を画成する離間部と、を備えている什器。
【請求項２】
前記横フレームは、前記上下方向から見た平面視で多角形状に形成され、
前記横フレームの少なくとも一辺において、前記当接部及び前記離間部が全長に亘って形成されている請求項１に記載の什器。
【請求項３】
前記横フレームは、短辺部及び長辺部を有する矩形枠状に形成され、
前記当接部及び前記離間部は、前記短辺部の少なくとも一部に形成され、
前記長辺部は、前記支持板の縁部を支持している請求項１又は請求項２に記載の什器。
【請求項４】
前記離間部と前記支持板との間には、オプション部材を前記横フレームに取り付けるための接続部材が収容可能に構成され、
前記離間部には、前記接続部材が取付可能な取付孔が形成されている請求項１から請求項３の何れか１項に記載の什器。
【請求項５】
前記横フレームは、前記縦フレームに対して前記上下方向に間隔をあけて複数接続され、
複数の前記横フレームには、前記支持板が各別に支持されている請求項１から請求項４の何れか１項に記載の什器。
【請求項６】
請求項１から請求項５の何れか１項に記載された什器と、
前記離間部と前記支持板との間に収容された接続部材を介して前記什器に接続されたオプション部材と、を備えている什器システム。
【請求項７】
前記オプション部材は、請求項１から請求項５の何れか１項に記載された什器である請求項６に記載の什器システム。
【請求項８】
前記オプション部材は、前記上下方向に延びる立設部材である請求項６に記載の什器システム。
【発明の詳細な説明】
【技術分野】
【０００１】
本発明は、什器及び什器システムに関する。
【背景技術】
【０００２】
物品を載置するための棚として、枠状のフレームに棚板を設けた構成が知られている（例えば、下記特許文献１参照）。
【０００３】
上述した棚では、例えば以下のメリットがある。
第１に、フレームが枠状に形成されているため、棚の周囲から棚板にアクセスでき、物品の出し入れが容易である。
第２に、枠状にフレームに棚板が設けられただけのシンプルな構成であるため、意匠性が高い。
【先行技術文献】
【特許文献】
【０００４】
【特許文献１】特開２０１５−６２３７号公報
【発明の概要】
【発明が解決しようとする課題】
【０００５】
ところで、近時では、上述した棚と別の什器（例えば、別の棚等）のフレーム同士を、接続部材を介して接続する什器システムの構成が検討されている。
しかしながら、棚と別の什器とを接続部材を介して接続するにあたって、接続部材が外部に露出していると、什器システムの意匠性を損ねる要因となる。
【０００６】
本発明は、意匠性を向上させることができる什器及び什器システムを提供することを目的とする。
【課題を解決するための手段】
【０００７】
上記目的を達成するために、本発明の一態様に係る什器は、上下方向に延びる縦フレームと、前記縦フレームに接続され、前記上下方向に交差する方向に延びる横フレームと、前記横フレームに支持された支持板と、を備え、前記横フレームは、前記支持板の外側面に対して内側に位置する部分で前記支持板に前記上下方向で当接する当接部と、前記当接部に対して前記支持板の外側面寄りに位置する部分で前記当接部に連なるとともに、前記支持板に対して前記上下方向に離間して配置され、前記支持板との間に前記支持板の外側面に対して外側に開口する開口部を画成する離間部と、を備えている。
【０００８】
本態様によれば、離間部と支持板との間に形成される隙間を、例えばオプション部材（例えば、ハンガラック等）を什器に連結するにあたって、接続部材を収容する収容部（開口部）として機能させることができる。この場合、什器とオプション部材とが接続された状態において、横フレームや支持板によって接続部材を隠すことができる。これにより、什器及びオプション部材を接続して什器システムを構成する場合に、什器システムの意匠性を向上させることができる。
本態様において、オプション部材が什器に接続されていない状態では、離間部と支持板との間に開口部が視認されるだけである。そのため、例えば横フレームからオプション部材用の接続部材が突出している場合に比べて、接続部材の取り付けに伴う什器の意匠性の低下を抑制できる。
しかも、本態様では、横フレームのうちのうち、離間部に対して支持板の外側面よりも内側に位置する部分（当接部）によって支持板が支持される。これにより、上述した意匠性を向上させた上で、横フレームによって支持板を安定して支持できる。
【０００９】
本発明の一態様に係る什器において、前記横フレームは、前記上下方向から見た平面視で多角形状に形成され、前記横フレームの少なくとも一辺において、前記当接部及び前記離間部が全長に亘って形成されていてもよい。
本態様によれば、横フレームの一辺において一部のみに離間部が形成されている場合に比べて、横フレームの統一感を出すことができる。これにより、什器の意匠性をより向上させることができる。
【００１０】
本発明の一態様に係る什器において、前記横フレームは、短辺部及び長辺部を有する矩形枠状に形成され、前記当接部及び前記離間部は、前記短辺部の少なくとも一部に形成され、前記長辺部は、前記支持板の縁部を支持していてもよい。
本態様によれば、短辺部については離間部の形成に伴い、当接部が支持板の外側面に対して内側に位置する。一方、長辺部には、離間部が形成されていないため、支持板の縁部を支持できる。そのため、短辺部に離間部を形成することで、離間部を長辺部に形成する場合に比べ、横フレームのうち、支持板の外側面寄りに位置する部分での支持面積を確保できる。そのため、離間部を形成した場合であっても、横フレームによって棚板を安定して支持できる。
【００１１】
本発明の一態様に係る什器において、前記離間部と前記支持板との間には、オプション部材を前記横フレームに取り付けるための接続部材が収容可能に構成され、前記離間部には、前記接続部材が取付可能な取付孔が形成されていてもよい。
本態様によれば、横フレームに対して例えばねじによって接続部材を取り付けることができる。これにより、什器とオプション部材との組立性を向上させることができる。
本態様では、横フレームに支持板が取り付けられた状態において、取付孔が支持板により覆われる。これにより、取付孔の形成に伴う什器の意匠性の低下を抑制できる。
【００１２】
本発明の一態様に係る什器において、前記横フレームは、前記縦フレームに対して前記上下方向に間隔をあけて複数接続され、複数の前記横フレームには、前記支持板が各別に支持されていてもよい。
本態様によれば、横フレームが上下方向に複数設けられている、各横フレームと各支持板の離間部との間に形成される隙間のうち、任意の隙間を通じて什器に接続部材を接続することができる。これにより、什器に取付可能なオプション部材のバリエーションを向上させ、什器の汎用性を向上させることができる。
【００１３】
本発明の一態様に係る什器システムは、上記態様に係る什器と、前記離間部と前記支持板との間に収容された接続部材を介して前記什器に接続されたオプション部材と、を備えている。
本態様によれば、オプション部材が接続部材を介して什器に取り付けられているため、接続部材のうち外部に露呈する部分を小さくできる。これにより、意匠性の高い什器システムを提供できる。
【００１４】
本発明の一態様に係る什器システムにおいて、前記オプション部材は、上記態様に係る什器であってもよい。
本態様によれば、本態様に係る什器同士を接続部材により接続した場合であっても、接続部材のうち外部に露呈する部分を小さくでき、意匠性の高い什器システムを提供できる。
【００１５】
本発明の一態様に係る什器システムにおいて、前記オプション部材は、前記上下方向に延びる立設部材であってもよい。
本態様によれば、本態様に係る什器と立設部材とを接続部材により接続した場合であっても、接続部材のうち外部に露呈する部分を小さくでき、意匠性の高い什器システムを提供できる。
【発明の効果】
【００１６】
本発明の一態様によれば、意匠性を向上させることができる。
【図面の簡単な説明】
【００１７】
【図１】実施形態に係る什器システムの斜視図。
【図２】第１棚を前方から見た分解斜視図。
【図３】図１のＩＩＩ−ＩＩＩ線に相当する断面図。
【図４】図１のＩＶ−ＩＶ線に相当する断面図。
【図５】第１棚の一部を破断して示す部分平面図。
【図６】什器システムの組立方法を説明する説明図。
【図７】実施形態の第１変形例に係る図３に相当する断面図。
【図８】実施形態の第１変形例に係る図３に相当する断面図。
【図９】実施形態の第１変形例に係る第１棚の部分側面図。
【図１０】実施形態の第２変形例に係る什器システムの一部を破断して示す部分平面図。
【図１１】実施形態の第２変形例に係る第１棚の斜視図。
【図１２】実施形態の第２変形例に係る第１棚の部分斜視図。
【発明を実施するための形態】
【００１８】
次に、本発明の実施形態を図面に基づいて説明する。なお、以下の説明において、什器システム１が設置された床面Ｇの法線方向を上下方向（矢印ＵＰが上方）とし、上下方向に直交する方向をそれぞれ前後方向（矢印ＦＲが前方）及び左右方向（矢印ＬＨが左側）とする。
【００１９】
［什器システム］
図１は、什器システム１の斜視図である。
本実施形態の什器システム１は、複数の什器が左右方向に接続されて構成されている。具体的に、什器システム１は、第１棚（什器）１０、ハンガラック（立設部材）１１及び第２棚（什器）１２が左右方向に順次接続されて構成されている。なお、第１棚１０及び第２棚１２は、何れも同様の構成をなしている。したがって、以下の説明では、第１棚１０を例にして説明する。
【００２０】
＜第１棚＞
図２は、第１棚１０を前方から見た分解斜視図である。
図２に示すように、第１棚１０は、フレーム２１と、複数の棚板（支持板）２２と、を備えている。
フレーム２１は、縦フレーム２５及び複数の横フレーム２６が組み合わされることで、枠状の直方体形状（前後方向から見た正面視及び上下方向から見た平面視がそれぞれ矩形枠状）に形成されている。
【００２１】
縦フレーム２５は、上下方向に延びる複数（例えば、４本）の支柱３０を有している。各支柱３０は、例えば角筒状に形成されている。各支柱３０は、平面視において、フレーム２１の各角部に位置している。各支柱３０の下端部は、床面Ｇに載置されている。
【００２２】
各横フレーム２６は、上下方向に間隔をあけて複数配置されている。図示の例において、各横フレーム２６のうち、最上部に位置する第１横フレーム２６Ａは、縦フレーム２５の上端部に接続されている。各横フレーム２６のうち、最下部に位置する第２横フレーム２６Ｂは、縦フレーム２５のうち、床面Ｇから上方に離間した部分に接続されている。各横フレーム２６のうち、第１横フレーム２６Ａ及び第２横フレーム２６Ｂの間に位置する第３横フレーム２６Ｃは、縦フレーム２５のうち、第１横フレーム２６Ａ及び第２横フレーム２６Ｂの間に位置する部分に接続されている。なお、横フレーム２６の数や、各横フレーム２６間の間隔は適宜変更が可能である。各横フレーム２６は、何れも同様の構成をなしている。そのため、以下の説明では、第１横フレーム２６Ａを例にして説明し、その他の横フレーム２６Ｂ，２６Ｃの説明を適宜省略する。
【００２３】
第１横フレーム２６Ａは、平面視において、左右方向を長手方向とする矩形枠状に形成されている。具体的に、第１横フレーム２６Ａは、左右方向に延びる一対の左右支持杆３１と、前後方向に延びる一対の前後支持杆３２Ａ，３２Ｂと、を備えている。
【００２４】
各左右支持杆３１は、例えば角筒状に形成されている。各左右支持杆３１は、前後方向に間隔をあけて互いに平行に延在している。各左右支持杆３１は、左右方向で対向する支柱３０同士の間を架け渡している。本実施形態において、左右支持杆３１は、左右方向の両端部において、溶接やねじ等により支柱３０に固定されている。但し、第１横フレーム２６Ａは、前後支持杆３２Ａ，３２Ｂを介して支柱３０に固定されていてもよい。
【００２５】
各前後支持杆３２Ａ，３２Ｂは、例えば板状に形成されている。各前後支持杆３２Ａ，３２Ｂのうち、前後支持杆３２Ａは、各左右支持杆３１の第１端部（例えば、左側端部）同士の間を架け渡している。前後支持杆３２Ｂは、各左右支持杆３１の第２端部（例えば、右側端部）同士を架け渡している。本実施形態において、各前後支持杆３２Ａ，３２Ｂは、各左右支持杆３１における前後方向の内側を向く面に、溶接やねじ等によって固定されている。なお、各前後支持杆３２Ａ，３２Ｂは、左右方向に直交する仮想面に対して面対称な構成とされている。そのため、以下の説明では、前後支持杆３２Ａを例にして説明し、前後支持杆３２Ｂの説明を適宜省略する。
【００２６】
図３は、図１のＩＩＩ−ＩＩＩ線に相当する断面図である。図４は、図１のＩＶ−ＩＶ線に相当する断面図である。
図３、図４に示すように、前後支持杆３２Ａは、当接部４０と、離間部４１と、当接部４０及び離間部４１間を接続する補強部４２と、を有している。
補強部４２は、左右方向に沿う横断面視で上方に向けて開口するＣ字状に形成されている。具体的に、補強部４２は、底壁４５と、底壁４５における左右方向の外側端部に連なる外側壁４６と、底壁４５における左右方向の内側端部に連なる内側壁４７と、を有している。外側壁４６及び内側壁４７は、それぞれ底壁４５に対して上方に屈曲して延在している。外側壁４６は、内側壁４７に対して上下方向の高さが低くなっている。
【００２７】
当接部４０は、内側壁４７の上端縁から左右方向の内側に向けて張り出している。図２に示すように、当接部４０の上面は、左右支持杆３１の上面と面一に配置されている。当接部４０の上面は、左右支持杆３１の上面とともに、棚板２２を支持する支持面として機能する。なお、第１横フレーム２６Ａは、少なくとも当接部４０の上面が支持面として機能していればよい。すなわち、当接部４０の上面が、左右支持杆３１の上面よりも上方に位置していてもよい。
【００２８】
図５は、第１棚１０の一部を破断して示す部分平面図である。
図２、図５に示すように、本実施形態において、当接部４０は、内側壁４７における全長に亘って延在している。但し、当接部４０は、内側壁４７の一部に形成されていてもよい。
【００２９】
図２〜図４に示すように、当接部４０は、前後方向の両端部に位置する幅広部５０と、幅広部５０同士の間を接続する幅狭部５１と、を有している。
幅広部５０は、左右方向の幅が幅狭部５１よりも広くなっている。幅広部５０には、幅広部５０を上下方向に貫通する貫通孔５３が形成されている。なお、幅広部５０の範囲や数等は、適宜変更が可能である。また、当接部４０は、全長に亘って一様な幅に形成してもよい。
【００３０】
図３、図４に示すように、離間部４１は、外側壁４６の上端縁から左右方向の内側に向けて張り出している。すなわち、離間部４１は、補強部４２の上端開口を上方から臨んでいる。離間部４１の上面は、当接部４０の上面よりも下方に位置している。離間部４１は、外側壁４６における全長に亘って延在している。
【００３１】
図４、図５に示すように、離間部４１において、前後方向の中間部分には、後述する接続部材７０の取付部４９が設けられている。取付部４９は、例えば離間部４１を上下方向に貫通する貫通孔４９ａと、離間部４１の下面において貫通孔４９ａに対応する位置に設けられたナット４９ｂと、を有している。本実施形態において、取付部４９は、前後方向に間隔をあけて２ヵ所設けられている。但し、取付部４９の数や位置は適宜変更が可能である。
【００３２】
図２に示すように、棚板２２は、平面視外形が第１横フレーム２６Ａと同等の矩形状に形成されている。棚板２２は、上述したように左右支持杆３１の上面、及び当接部４０の上面に支持されている。具体的に、左右支持杆３１は、棚板２２の縁部のうち、左右方向に延びる長辺縁部を左右方向の全長に亘って支持している。一方、図５に示すように、当接部４０は、棚板２２の短辺縁部に対して左右方向の内側に位置する部分を前後方向の全長に亘って支持している。図３に示すように、棚板２２の外側面は、前後支持杆３２Ａ，３２Ｂの外側壁４６よりも左右方向の外側に位置している。但し、棚板２２の外側面は、外側壁４６と面一若しくは外側壁４６よりも左右方向の内側に位置していてもよい。
【００３３】
ここで、左右支持杆３１の上面、及び当接部４０の上面に棚板２２が支持された状態において、棚板２２の下面と離間部４１の上面とは、上下方向に離間している。すなわち、棚板２２の下面と離間部４１の上面との間には、左右方向の外側に向けて開口する収容部（開口部）Ｓが画成されている。本実施形態において、収容部Ｓは、前後方向において、棚板２２の全長に亘って形成されている。
【００３４】
棚板２２には、上述した貫通孔５３内を通じてねじ５５が締結されている。なお、第１横フレーム２６Ａに対する棚板２２の固定方法は、適宜変更が可能である。例えば、棚板２２は、左右支持杆３１に固定してもよく、左右支持杆３１及び前後支持杆３２Ａ，３２Ｂの双方に固定してもよい。
【００３５】
＜ハンガラック＞
図１に示すように、ハンガラック１１は、左右方向において、第１棚１０及び第２棚１２の間に配置されている。ハンガラック１１は、前後方向から見た正面視で矩形枠状のラックフレーム６０を有している。具体的に、ラックフレーム６０は、下部フレーム６１、一対の側部フレーム６２Ａ，６２Ｂ、及び上部フレーム６３を有している。
【００３６】
下部フレーム６１は、左右方向において、床面Ｇと平行に延在している。なお、下部フレーム６１は、床面Ｇに接地していてもよく、床面Ｇに対して上方に離間していてもよい。
【００３７】
側部フレーム６２Ａは、下部フレーム６１の右側端部から上方に延在している。  側部フレーム６２Ｂは、下部フレーム６１の左側端部から上方に延在している。各側部フレーム６２Ａ，６２Ｂの下端部は、床面Ｇに接地している。
上部フレーム６３は、左右方向に延在して、側部フレーム６２Ａ，６２Ｂの上端部同士の間を架け渡している。上部フレーム６３には、ハンガ６４が左右方向に間隔をあけて吊り下げられる。
【００３８】
上述した側部フレーム６２Ａにおいて、上下方向の中間部分には、接続部材７０が設けられている。接続部材７０は、側部フレーム６２Ａにおいて、上述した第１横フレーム２６Ａと棚板２２との間に形成された収容部Ｓに上下方向で対応する位置に形成されている。但し、接続部材７０は、第１横フレーム２６Ａ以外の横フレーム２６と棚板２２との間に形成された収容部Ｓに対応する位置に形成されていてもよい。
【００３９】
図５に示すように、接続部材７０は、上下方向を厚さ方向とする平面視でＴ字状の板状に形成されている。接続部材７０の厚さは、収容部Ｓの上下方向の幅よりも小さくなっている。具体的に、接続部材７０は、側部フレーム６２Ａから左右方向の外側（ハンガラック１１における左右方向の中心に対して外側）に突設された突設部７１と、突設部７１の先端部から前後方向の両側に広がる固定部７２と、を有している。
【００４０】
突設部７１は、前後方向の幅は、側部フレーム６２Ａの前後方向の幅以下に設定されている。
【００４１】
固定部７２において、前後方向の両端部には、固定部７２を上下方向に貫通する貫通孔７４が形成されている。固定部７２は、左右方向の外側から収容部Ｓ内に進入している。すなわち、固定部７２は、第１横フレーム２６Ａ及び棚板２２に囲まれることで、什器システム１の外部に露出していない。固定部７２は、収容部Ｓ内において、離間部４１に下方から支持されている。なお、接続部材７０は、少なくとも固定部７２が収容部Ｓ内に進入していればよい。すなわち、突設部７１及び固定部７２の双方が、収容部Ｓ内に進入していてもよい。
【００４２】
図４、図５に示すように、接続部材７０は、固定部７２の貫通孔７４を離間部４１の貫通孔４９ａに重ね合わせた状態で、貫通孔４９ａ，７４を通じてナット４９ｂにねじ７６を螺着することで、第１棚１０（第１横フレーム２６Ａ）に固定されている。
【００４３】
なお、側部フレーム６２Ｂについても、側部フレーム６２Ａと同様に、接続部材７０が設けられている。側部フレーム６２Ｂの接続部材７０は、第２棚１２の収容部Ｓ内において、離間部４１に固定されている。これにより、第１棚１０及び第２棚１２の間に、ハンガラック１１が接続される。
【００４４】
＜什器システムの組立方法＞
次に、上述した什器システム１の組立方法について説明する。以下の説明では、第１棚１０とハンガラック１１との組立方法について主に説明する。図６は、什器システム１の組立方法を説明する説明図である。
図６に示すように、ハンガラック１１は、第１横フレーム２６Ａに棚板２２を載置する前に組み付ける。具体的には、まずハンガラック１１の接続部材７０（固定部７２）を離間部４１に載置する。続いて、固定部７２の貫通孔７４を離間部４１の貫通孔４９ａに重ね合わせた状態で、貫通孔４９ａ，７４を通じてナット４９ｂにねじ７６を螺着する。これにより、ハンガラック１１が第１横フレーム２６Ａに固定される。
【００４５】
その後、第１横フレーム２６Ａに棚板２２を組み付ける。具体的には、第１横フレーム２６Ａにおいて、左右支持杆３１の上面及び当接部４０の上面に棚板２２を載置する。続いて、棚板２２を第１横フレーム２６Ａに固定する。その後、ハンガラック１１及び第２棚１２についても、上述した方法と同様の方法により組み付けることで、上述した什器システム１が完成する。
【００４６】
本実施形態では、横フレーム２６が、棚板２２を支持する当接部４０と、当接部４０に対して左右方向の外側で、棚板２２に対して上下方向に離間して配置された離間部４１と、を有している構成とした。
この構成によれば、離間部４１と棚板２２との間に形成される隙間が、ハンガラック１１等のオプション部材を第１棚１０に連結するにあたって、接続部材７０を収容する収容部Ｓとして機能する。これにより、第１棚１０とハンガラック１１とが接続された状態において、横フレーム２６や棚板２２によって接続部材７０を隠すことができる。これにより、什器システム１の意匠性を向上させることができる。
また、本実施形態において、ハンガラック１１が第１棚１０に接続されていない状態では、離間部４１と棚板２２との間に隙間が視認されるだけである。そのため、例えば横フレーム２６からオプション部材用の接続部材が突出している場合に比べて、接続部材７０の取り付けに伴う第１棚１０の意匠性の低下を抑制できる。
しかも、本実施形態では、前後支持杆３２Ａ，３２Ｂのうち、離間部４１に対して左右方向の内側に位置する部分（当接部４０）によって棚板２２が支持される。これにより、上述した意匠性を向上させた上で、横フレーム２６によって棚板２２を安定して支持できる。
【００４７】
本実施形態では、当接部４０と離間部４１とが前後支持杆３２Ａ，３２Ｂの延在方向に直交する方向（左右方向）にずれて形成されている。そのため、当接部４０及び離間部４１が左右方向で同じ位置に形成されている場合と異なり、前後支持杆３２Ａ，３２Ｂの延在方向において当接部４０及び離間部４１の長さが制限されることがない。これにより、設計の自由度を向上させることができる。
【００４８】
本実施形態では、横フレーム２６のうち、前後支持杆３２Ａ，３２Ｂの全長に亘って離間部４１が形成されている構成とした。
この構成によれば、前後支持杆３２Ａ，３２Ｂの一部のみに離間部４１が形成されている場合に比べて、前後支持杆３２Ａ，３２Ｂの統一感を出すことができる。これにより、第１棚１０の意匠性をより向上させることができる。
【００４９】
本実施形態では、横フレーム２６のうち、短辺部である前後支持杆３２Ａ，３２Ｂに離間部４１が形成され、左右支持杆３１は棚板２２を左右方向の全長に亘って支持している構成とした。
この構成によれば、前後支持杆３２Ａ，３２Ｂについては離間部４１の形成に伴い、当接部４０が棚板２２の外側面に対して左右方向の内側に位置する。一方、左右支持杆３１には、離間部４１が形成されていないため、棚板２２の外側面寄りに位置する部分（長辺縁部）を支持できる。そのため、短辺部である前後支持杆３２Ａ，３２Ｂに離間部４１を形成することで、離間部４１を左右支持杆３１に形成する場合に比べ、横フレーム２６のうち、棚板２２の外側面寄りに位置する部分での支持面積を確保できる。そのため、離間部４１を形成した場合であっても、横フレーム２６によって棚板２２を安定して支持できる。
【００５０】
本実施形態では、離間部４１に接続部材７０を取り付けるための貫通孔４９ａが形成された構成とした。
この構成によれば、前後支持杆３２Ａ，３２Ｂに対して例えばねじ７６によって接続部材７０を取り付けることができる。これにより、第１棚１０とハンガラック１１との組立性を向上させることができる。
本実施形態では、横フレーム２６に棚板２２が取り付けられた状態において、貫通孔４９ａが棚板２２により覆われる。これにより、貫通孔４９ａの形成に伴う第１棚１０の意匠性の低下を抑制できる。
【００５１】
本実施形態では、各横フレーム２６と棚板２２との間に収容部Ｓが形成されているため、接続部材７０を横フレーム２６に接続することができる。これにより、棚１０，１２に取付可能なオプション部材のバリエーションを向上させ、棚１０，１２の汎用性を向上させることができる。
【００５２】
本実施形態では、当接部４０及び離間部４１を接続する補強部４２がＣ字状に形成されているため、前後支持杆３２Ａ，３２Ｂの剛性を確保でき、棚板２２を安定して支持できる。
【００５３】
本実施形態の什器システム１は、上述した第１棚１０にハンガラック１１が接続部材７０を介して取り付けられているため、接続部材７０のうち外部に露呈する部分を小さくできる。これにより、意匠性の高い什器システム１を提供できる。
【００５４】
上述した実施形態では、接続部材７０が離間部４１にねじ７６により固定される構成について説明したが、接続部材７０と離間部４１との接続方法は、適宜変更が可能である。例えば、棚板２２と離間部４１の間の隙間に接続部材７０を圧入して、接続部材７０を棚１０，１２に接続してもよい。また、離間部４１に接続部材７０を接着等してもよい。さらに、棚板２２と離間部４１との間の隙間に接続部材７０が配置された状態で、接続部材７０を棚板２２に固定してもよい。
上述した実施形態では、棚板２２を取り付ける前に接続部材７０を取り付ける構成について説明したが、棚板２２を取り付けた後に接続部材７０を取り付けてもよい。
【００５５】
（第１変形例）
上述した実施形態では、補強部４２の内側壁４７に当接部４０が接続され、外側壁４６に離間部４１が接続された場合について説明したが、この構成に限られない。例えば、図７に示すように、離間部４１の左右方向の内側端部から上方に延びる規制壁１００を介して当接部４０を形成してもよい。
この構成によれば、離間部４１に対して左右方向の内側に位置する部分が規制壁１００によって遮られるので、接続部材７０を収容部Ｓ内に配置するにあたって、横フレーム２６に対する接続部材７０の離間部４１よりも左右方向の内側への移動を規制できる。これにより、左右方向において、横フレーム２６に対する接続部材７０の位置決めが容易になり、接続部材７０の組付性を向上させることができる。
しかも、離間部４１に対して左右方向の内側に位置する部分が規制壁１００によって遮られるので、前後支持杆３２Ａ（補強部４２）の内側が外部から視認されるのを抑制できる。そのため、意匠性の更なる向上を図ることができる。
【００５６】
上述した実施形態では、補強部４２が上方に開口するＣ字状に形成された構成について説明したが、この構成のみに限られない。例えば、図８に示す補強部１０１は、断面視でＬ字状に形成されている。具体的に、補強部１０１は、離間部４１における左右方向の外側端縁から下方に延在した後、左右方向の内側に屈曲している。本変形例において、前後支持杆３２Ａは、離間部４１と補強部１０１によって左右方向の内側に向けて開口するＣ字状に形成されている。そのため、前後支持杆３２Ａを単に板状に形成する場合に比べて前後支持杆３２Ａの剛性を確保できる。
【００５７】
上述した実施形態では、当接部４０及び離間部４１が前後支持杆３２Ａの全長に亘って形成された構成について説明したが、この構成のみに限られない。例えば、図９に示すように、前後支持杆３２Ａにおける前後方向の一部のみに離間部４１が形成されていてもよい。
【００５８】
（第２変形例）
上述した実施形態では、第１棚１０及び第２棚１２の間にハンガラック１１を接続する構成について説明したが、この構成のみに限られない。例えば、図１０に示すように、第１棚１０及び第２棚１２同士が接続部材１１０を介して直接接続されることで、什器システム１が構成されていてもよい。具体的に、接続部材１１０は、収容部Ｓ内に収容可能な厚さの板状に形成されている。接続部材１１０のうち、左右方向の第１端部は、第１棚１０の収容部Ｓ内で横フレーム２６に固定されている。接続部材１１０のうち、左右方向の第２端部は、第２棚１２の収容部Ｓ内で横フレーム２６に固定されている。
この構成においても、接続部材１１０のうち、外部に露呈する部分を小さくできるので、意匠性の向上を図ることができる。
【００５９】
また、棚１０，１２に接続されるオプション部材としては、例えば図１１に示すエンドプレート１２０や、図１２に示す照明ユニット１３０等であってもよい。
図１１に示すエンドプレート１２０は、例えばＬ字状に形成されている。エンドプレート１２０は、収容部Ｓ内で横フレーム２６に連結された接続部材１２１と、接続部材１２１における左右方向の外側端縁から上方に延びるエンド部１２２と、を有している。
図１２に示す照明ユニット１３０は、収容部Ｓ内で横フレーム２６に連結された接続部材１３１と、接続部材１３１における左右方向の外側端縁から上方に延びるアーム部１３２と、アーム部１３２の先端部に設けられた光源１３３と、を有している。
その他、オプション部材には、トレーやフック等、接続部材を介して横フレーム２６に接続可能な構成の中で適宜選択することが可能である。
【００６０】
以上、本発明の好ましい実施例を説明したが、本発明はこれら実施例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
【００６１】
例えば、上述した実施形態では、本発明に係る什器を棚１０，１２に採用した場合について説明したが、これに限られない。例えば机等に本発明に係る什器を適用してもよい。この場合、例えば縦フレームを一対の脚体とし、横フレームを脚体間に架け渡された杆材とし、支持板を杆材に支持された天板とし、杆材に当接部及び離間部を設けてもよい。
【００６２】
上述した実施形態では、横フレーム２６が矩形枠状に形成された構成について説明したが、この構成のみに限られない。横フレーム２６の平面視形状は、適宜変更が可能であり、例えば三角形状等の多角形状や円形状等であってもよい。
上述した実施形態では、前後支持杆３２Ａ，３２Ｂに離間部４１を形成した場合について説明したが、前後支持杆３２Ａ，３２Ｂ及び左右支持杆３１の少なくとも一部に離間部４１が形成されていればよい。左右支持杆３１に離間部を形成した場合には、例えば第１棚１０の前後方向にオプション部材を取り付けることが可能になる。
【００６３】
上述した実施形態では、全ての横フレーム２６に離間部４１を形成した場合について説明したが、少なくとも何れかの横フレーム２６に離間部が形成されていればよい。
上述した実施形態では、横フレーム２６の上面に棚板２２が支持される構成について説明したが、横フレーム２６の下面に棚板２２が支持される構成でもよい。
【００６４】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００６５】
１…什器システム
１０…第１棚（什器）
１１…ハンガラック（立設部材）
１２…第２棚（什器）
２２…棚板（支持板）
２５…縦フレーム
２６…横フレーム
２６Ａ…第１横フレーム
２６Ｂ…第２横フレーム
２６Ｃ…第３横フレーム
３１…左右支持杆（長辺部）
３２Ａ，３２Ｂ…前後支持杆
４０…当接部
４１…離間部
４９ａ…貫通孔（取付孔）
７０…接続部材
１１０…接続部材
１２０…エンドプレート（オプション部材）
１２１…接続部材
１３０…照明ユニット（オプション部材）
Ｓ…収容部（開口部）
【図１】
2019080810.tif 000003
【図２】
2019080810.tif 000004
【図３】
2019080810.tif 000005
【図４】
2019080810.tif 000006
【図５】
2019080810.tif 000007
【図６】
2019080810.tif 000008
【図７】
2019080810.tif 000009
【図８】
2019080810.tif 000010
【図９】
2019080810.tif 000011
【図１０】
2019080810.tif 000012
【図１１】
2019080810.tif 000013
【図１２】
2019080810.tif 000014